(57)【特許請求の範囲】
【請求項１】
他のコネクタにおける他の接続端子と接続される接続端子と、
固定接点と、
可動板部の一方の端部に設けられた可動接点と、
絶縁体により形成されており、前記可動板部と接触するカードと、
前記カードと接触するボタンと、
前記ボタンに接続された開離バネと、
前記固定接点と前記可動接点との接触を制御するための操作部と、
を有し、
前記固定接点または前記可動接点のうち、いずれか一方は前記接続端子と接続されているものであって、
前記操作部を一方の方向に移動させることにより、前記ボタンが押下され、前記カードを介して前記可動板部が動き、前記固定接点と前記可動接点とが接触することによりオン状態となり、
前記開離バネは、前記オン状態より前記固定接点と前記可動接点との接触を離す方向に復元力が働くものであって、
前記操作部を前記一方の方向とは反対方向である他方の方向に移動させることによって、前記開離バネの復元力により前記固定接点と前記可動接点との接触が離れ、オフ状態となることを特徴とするコネクタ。
【請求項２】
前記ボタンの上面には、高さが低く形成された底面部と、高さが高く形成された上段部と、前記底面部と前記上段部につながる傾斜部が設けられており、
前記操作部の動作に対応して動作するコンタクトスライド部が設けられており、
前記オフ状態では、前記ボタンの前記底面部に前記コンタクトスライド部の先端が接触しており、
前記オン状態では、前記ボタンの前記上段部に前記コンタクトスライド部の先端が接触することにより、前記ボタンが押下されるものであることを特徴とする請求項１に記載のコネクタ。
【請求項３】
前記コンタクトスライド部には、コンタクトスライド開口部と前記ボタンと接触するコンタクトスライド接触部を有しており、
前記操作部の動作に対応して動作するスライドリンク部の一部が、前記コンタクトスライド開口部内に入っており、
前記操作部をスライドさせることにより、前記スライドリンク部が前記スライド方向と略平行方向に移動し、前記スライドリンク部の一部により前記コンタクトスライド開口部の一方の端部または他方の端部が押されることにより、前記コンタクトスライド部が前記スライド方向と略平行に移動するものであることを特徴とする請求項２に記載のコネクタ。
【請求項４】
前記他のコネクタにはコネクタ接続開口部が設けられており、
前記オン状態では、前記コネクタ接続開口部にフックが入り込んでいることを特徴とする請求項１から３のいずれかに記載のコネクタ。
【請求項５】
前記カードには、前記可動板部の一方の面と接触する第１の接触部と、他方の面と接触する第２接触部とを有しているものであることを特徴とする請求項１から４のいずれかに記載のコネクタ。
【請求項６】
前記固定接点と前記可動接点は、ケースとベースブロックとに囲まれた領域内に設置されており、
前記開離バネは、前記ケースの外部に設けられているものであることを特徴とする請求項１から５のいずれかに記載のコネクタ。
【請求項７】
前記ケースには開口部が設けられており、
前記カードは、前記ケースと前記ベースブロックとに囲まれた領域の内部に存在するカード本体部と、前記ケースにおける前記開口部より前記ケースの外側に飛び出した形状の突起部とを有しており、
オフ状態においては、前記ケースにおける前記開口部と前記カード本体部の上面とが接触するものであることを特徴とする請求項６に記載のコネクタ。
【請求項８】
前記ケースにおける前記開口部の近傍には壁部が設けられており、
前記ボタンには、オン状態において、前記ケースの壁部を覆うように形成された端部を有していることを特徴とする請求項７に記載のコネクタ。
【請求項９】
前記カードは、前記ベースブロックに回転可能な状態で接続されていることを特徴とする請求項６から８のいずれかに記載のコネクタ。
【請求項１０】
前記固定接点は固定バネの一方の端部に設けられており、前記固定バネの他方の端部は前記ベースブロックに接続されており、
前記可動板部の他方の端部は可動バネの一方の端部と接続されており、前記可動バネの他方の端部は前記ベースブロックに接続されており、
前記固定バネと前記可動バネとの間には絶縁壁が設けられていることを特徴とする請求項６から９のいずれかに記載のコネクタ。
【請求項１１】
前記固定接点と前記可動接点との接触位置の近傍には、永久磁石が設けられていることを特徴とする請求項１から１０のいずれかに記載のコネクタ。
【請求項１２】
前記固定接点と、前記可動接点は複数設けられているものであることを特徴とする請求項１から１１のいずれかに記載のコネクタ。
【請求項１３】
複数設けられた前記固定接点と前記可動接点は、前記ボタンにより、前記固定接点に対応する前記可動接点が、各々同時に接触するものであることを特徴とする請求項１２に記載のコネクタ。
【請求項１４】
固定接点と、
可動板部の一方の端部に設けられた可動接点と、
絶縁体により形成されており、前記可動板部と接触するカードと、
前記カードと接触するボタンと、
前記ボタンに接続された開離バネと、
を有し、
前記ボタンを押下することにより、前記カードを介して前記可動板部が動き、前記固定接点と前記可動接点とが接触しオン状態となるものであって、
前記開離バネは、前記オン状態より前記固定接点と前記可動接点との接触を離す方向に復元力が働くものであることを特徴とするスイッチ。
【請求項１５】
前記カードには、前記可動板部の一方の面と接触する第１の接触部と、他方の面と接触する第２接触部とを有しているものであることを特徴とする請求項１４に記載のスイッチ。
【請求項１６】
前記固定接点と前記可動接点は、ケースとベースブロックとに囲まれた領域内に設置されており、
前記開離バネは、前記ケースの外部に設けられているものであることを特徴とする請求項１４または１５に記載のスイッチ。
【請求項１７】
前記ケースには開口部が設けられており、
前記カードは、前記ケースと前記ベースブロックとに囲まれた領域の内部に存在するカード本体部と、前記ケースにおける前記開口部より前記ケースの外側に飛び出た形状の突起部とを有しており、
オフ状態においては、前記ケースにおける前記開口部と前記カード本体部の上面とが接触するものであることを特徴とする請求項１６に記載のスイッチ。
【請求項１８】
前記ケースにおける前記開口部の近傍には壁部が設けられており、
前記ボタンには、オン状態において、前記ケースの壁部を覆うように形成された端部を有していることを特徴とする請求項１７に記載のスイッチ。
【請求項１９】
前記カードは、前記ベースブロックに回転可能な状態で接続されていることを特徴とする請求項１６から１８のいずれかに記載のスイッチ。
【請求項２０】
前記固定接点は固定バネの一方の端部に設けられており、前記固定バネの他方の端部は前記ベースブロックに接続されており、
前記可動板部の他方の端部は可動バネの一方の端部と接続されており、前記可動バネの他方の端部は前記ベースブロックに接続されており、
前記固定バネと前記可動バネとの間には絶縁壁が設けられていることを特徴とする請求項１６から１９のいずれかに記載のスイッチ。
【請求項２１】
前記可動バネに代えて電線が用いられていることを特徴とする請求項２０に記載のスイッチ。
【請求項２２】
前記固定接点と前記可動接点との接触位置の近傍には、永久磁石が設けられていることを特徴とする請求項１４から２１のいずれかに記載のスイッチ。
【請求項２３】
前記固定接点と、前記可動接点は複数設けられているものであることを特徴とする請求項１４から２２のいずれかに記載のスイッチ。
【請求項２４】
複数設けられた前記固定接点と前記可動接点は、前記ボタンにより、前記固定接点に対応する前記可動接点が、各々同時に接触するものであることを特徴とする請求項２３に記載のスイッチ。
【発明の詳細な説明】
【技術分野】
【０００１】
本発明は、コネクタ及びスイッチに関する。
【背景技術】
【０００２】
一般的に電気機器は、電源等より電力の供給を受け動作するものであり、電源より電力の供給を受ける際には、通常コネクタを介し電源より電気機器へ電力が供給される。この際用いられるコネクタは、特許文献１、２に開示されているように、凸状の雄型タイプのコネクタと、凹状の雌型タイプのコネクタを嵌合することにより、電気的に接続を行うものである。
【０００３】
一方、近年では、地球温暖化等に対する対策の一つとして、ローカルエリアにおける送電においても、電圧変換や送電等における電力損失が少なく、ケーブルの太さも太くする必要のない、直流で高電圧の電力の供給が検討されている。特に、サーバ等の情報機器においては、大量に電力を消費するためこのような電力供給が望ましいものとされている。
【０００４】
ところで、電気機器に供給される電力に関しては、電圧が高いと人体に影響を及ぼす場合や、電子部品の動作に影響を与える場合がある。
【０００５】
このような高電圧の電力をサーバ等の情報機器に用いる場合、装置の設置やメンテナンスの際においては、人により作業が行われるため、電気的接続がされている部分であるコネクタは通常の交流の商用電源に用いられるコネクタとは異なるものとする必要がある。
【先行技術文献】
【特許文献】
【０００６】
【特許文献１】特開平５−８２２０８号公報
【特許文献２】特開２００３−３１３０１号公報
【発明の概要】
【発明が解決しようとする課題】
【０００７】
また、スイッチを組み込んだ構成のコネクタでは、電源から供給される電圧が１００Ｖ以上の場合、または、高電圧で直流である場合、現在使用されているスイッチをそのまま用いることはできない。例えば、電源から供給される電力が直流４００Ｖの場合では、現在の交流１００Ｖに用いられているスイッチでは、十分な安全性や信頼性が確保されていないため、そのまま使用することは危険である。
【０００８】
よって、本発明は、上記に鑑みてなされたものであり、高電圧の電力を安全に供給することが可能なコネクタを提供することを目的とするものであり、更には、現状の商用電源の電圧よりも高い電圧の電源、または、直流電源に対応したスイッチであって、安全性及び信頼性の高いスイッチを提供することを目的とするものである。
【課題を解決するための手段】
【０００９】
本発明は、他のコネクタにおける他の接続端子と接続される接続端子と、固定接点と、可動板部の一方の端部に設けられた可動接点と、絶縁体により形成されており、前記可動板部と接触するカードと、前記カードと接触するボタンと、前記ボタンに接続された開離バネと、前記固定接点と前記可動接点との接触を制御するための操作部と、を有し、前記固定接点または前記可動接点のうち、いずれか一方は前記接続端子と接続されているものであって、前記操作部を一方の方向に移動させることにより、前記ボタンが押下され、前記カードを介して前記可動板部が動き、前記固定接点と前記可動接点とが接触することによりオン状態となり、前記開離バネは、前記オン状態より前記固定接点と前記可動接点との接触を離す方向に復元力が働くものであって、前記操作部を前記一方の方向とは反対方向である他方の方向に移動させることによって、前記開離バネの復元力により前記固定接点と前記可動接点との接触が離れ、オフ状態となることを特徴とする。
【００１０】
また、本発明は、前記ボタンの上面には、高さが低く形成された下段部と、高さが高く形成された上段部と、前記底面部と前記上段部につながる傾斜部が設けられており、前記スライド操作部の動作に対応して動作するコンタクトスライド部が設けられており、前記オフ状態では、前記ボタンの前記底面部に前記コンタクトスライド部の先端が接触しており、前記オン状態では、前記ボタンの前記上段部に前記コンタクトスライド部の先端が接触することにより、前記ボタンが押下されるものであることを特徴とする。
【００１１】
また、本発明は、前記コンタクトスライド部には、コンタクトスライド開口部と前記ボタンと接触するコンタクトスライド接触部を有しており、前記スライド操作部の動作に対応して動作するスライドリンク部の一部が、前記コンタクトスライド開口部内に入っており、前記スライド操作部をスライドさせることにより、前記スライドリンク部が前記スライド方向と略平行方向に移動し、前記スライドリンク部の一部により前記コンタクトスライド開口部の一方の端部または他方の端部が押されることにより、前記コンタクトスライド部が前記スライド方向と略平行に移動するものであることを特徴とする。
【００１２】
また、本発明は、前記他のコネクタにはコネクタ接続開口部が設けられており、前記オン状態では、前記コネクタ接続開口部にフックが入り込んでいることを特徴とする。
【００１３】
また、本発明は、前記カードには、前記可動板部の一方の面と接触する第１の接触部と、他方の面と接触する第２接触部とを有しているものであることを特徴とする。
【００１４】
また、本発明は、前記固定接点と前記可動接点はスイッチ部ケースとベースブロックとに囲まれた領域内に設置されており、前記開離バネは、前記スイッチ部ケースの外部に設けられているものであることを特徴とする。
【００１５】
また、本発明は、前記ケースには開口部が設けられており、前記カードは、前記ケースと前記ベースブロックとに囲まれた領域の内部に存在するカード本体部と、前記ケースにおける前記開口部より前記ケースの外側に飛び出した形状の突起部とを有しており、オフ状態においては、前記ケースにおける前記開口部と前記カード本体部の上面とが接触するものであることを特徴とする。
【００１６】
また、本発明は、前記ケースにおける前記開口部の近傍には壁部が設けられており、前記ボタンには、オン状態において、前記ケースの壁部を覆うように形成された端部を有していることを特徴とする。
【００１７】
また、本発明は、前記カードは、前記ベースブロックに回転可能な状態で接続されていることを特徴とする。
【００１８】
また、本発明は、前記固定接点は固定バネの一方の端部に設けられており、前記固定バネの他方の端部は前記ベースブロックに接続されており、前記可動板部の他方の端部は可動バネの一方の端部と接続されており、前記可動バネの他方の端部は前記ベースブロックに接続されており、前記固定バネと前記可動バネとの間には絶縁壁が設けられていることを特徴とする。
【００１９】
また、本発明は、前記固定接点と前記可動接点との接触位置の近傍には、永久磁石が設けられていることを特徴とする。
【００２０】
また、本発明は、前記固定接点と、前記可動接点は複数設けられているものであることを特徴とする。
【００２１】
また、本発明は、複数設けられた前記固定接点と前記可動接点は、前記ボタンにより、前記固定接点に対応する前記可動接点が、各々同時に接触するものであることを特徴とする。
【００２２】
また、本発明は、固定接点と、可動板部の一方の端部に設けられた可動接点と、絶縁体により形成されており、前記可動板部と接触するカードと、前記カードと接触するボタンと、前記ボタンに接続された開離バネと、を有し、前記ボタンを押下することにより、前記カードを介して前記可動板部が動き、前記固定接点と前記可動接点とが接触しオン状態となるものであって、前記開離バネは、前記オン状態より前記固定接点と前記可動接点との接触を離す方向に復元力が働くものであることを特徴とする。
【００２３】
また、本発明は、前記カードには、前記可動板部の一方の面と接触する第１の接触部と、他方の面と接触する第２接触部とを有しているものであることを特徴とする。
【００２４】
また、本発明は、前記固定接点と前記可動接点はケースとベースブロックとに囲まれた領域内に設置されており、前記開離バネは、前記ケースの外部に設けられているものであることを特徴とする。
【００２５】
また、本発明は、前記ケースには開口部が設けられており、前記カードは、前記ケースと前記ベースブロックとに囲まれた領域の内部に存在するカード本体部と、前記ケースにおける前記開口部より前記ケースの外側に飛び出た形状の突起部とを有しており、オフ状態においては、前記ケースにおける前記開口部と前記カード本体部の上面とが接触するものであることを特徴とする。
【００２６】
また、本発明は、前記ケースにおける前記開口部の近傍には壁部が設けられており、前記ボタンには、オン状態において、前記ケースの壁部を覆うように形成された端部を有していることを特徴とする。
【００２７】
また、本発明は、前記カードは、前記ベースブロックに回転可能な状態で接続されていることを特徴とする。
【００２８】
また、本発明は、前記固定接点は固定バネの一方の端部に設けられており、前記固定バネの他方の端部は前記ベースブロックに接続されており、前記可動板部の他方の端部は可動バネの一方の端部と接続されており、前記可動バネの他方の端部は前記ベースブロックに接続されており、前記固定バネと前記可動バネとの間には絶縁壁が設けられていることを特徴とする。
【００２９】
また、本発明は、前記可動バネに代えて電線が用いられていることを特徴とする。
【００３０】
また、本発明は、前記固定接点と前記可動接点との接触位置の近傍には、永久磁石が設けられていることを特徴とする。
【００３１】
また、本発明は、前記固定接点と、前記可動接点は複数設けられているものであることを特徴とする。
【００３２】
また、本発明は、複数設けられた前記固定接点と前記可動接点は、前記ボタンにより、前記固定接点に対応する前記可動接点が、各々同時に接触するものであることを特徴とする。
【発明の効果】
【００３３】
本発明によれば、現状の商用電源の電圧よりも高い電圧の電源、または、直流電源に対応したコネクタであって、これらの電源からの電力を安全に供給することが可能なコネクタを提供することができ、更には、現状の商用電源の電圧よりも高い電圧の電源、または、直流電源に対応したスイッチであって、安全性及び信頼性の高いスイッチを提供することができる。
【図面の簡単な説明】
【００３４】
【図１】第１の実施の形態に用いられるプラグコネクタの斜視図
【図２】第１の実施の形態に用いられるプラグコネクタの上面図
【図３】第１の実施の形態に用いられるプラグコネクタの側面図
【図４】第１の実施の形態に用いられるプラグコネクタの底面図
【図５】第１の実施の形態に用いられるプラグコネクタの正面図
【図６】第１の実施の形態におけるコネクタの斜視図
【図７】第１の実施の形態におけるコネクタの正面図
【図８】第１の実施の形態におけるコネクタの側面図
【図９】第１の実施の形態におけるコネクタの内部構造図
【図１０】スイッチ部の斜視図
【図１１】スイッチ部の構造図（オフ状態）
【図１２】スイッチ部の構造図（オン状態）
【図１３】第１の実施の形態におけるコネクタとプラグコネクタの接続前の説明図
【図１４】第１の実施の形態におけるコネクタとプラグコネクタの接続後オフ状態の説明図
【図１５】第１の実施の形態におけるコネクタとプラグコネクタの接続後オン状態の説明図
【図１６】第１の実施の形態におけるコネクタのオフ状態の側面から見た内部構造図
【図１７】第１の実施の形態におけるコネクタのオフ状態の上面から見た内部構造図
【図１８】第１の実施の形態におけるコネクタのオフ状態の要部斜視図
【図１９】第１の実施の形態におけるコネクタのオフ状態の機構を示す斜視図
【図２０】第１の実施の形態におけるコネクタのオフ状態の要部側面図
【図２１】第１の実施の形態におけるコネクタのオフ状態の説明図
【図２２】第１の実施の形態におけるコネクタのフックの説明図
【図２３】第１の実施の形態におけるコネクタのオフ状態からオン状態に移行する段階の側面から見た内部構造図
【図２４】第１の実施の形態におけるコネクタのオフ状態からオン状態に移行する段階の機構を示す斜視図
【図２５】第１の実施の形態におけるコネクタのオフ状態からオン状態に移行する段階の要部側面図
【図２６】第１の実施の形態におけるコネクタのオン状態の側面から見た内部構造図
【図２７】第１の実施の形態におけるコネクタのオン状態の上面から見た内部構造図
【図２８】第１の実施の形態におけるコネクタのオン状態の要部斜視図
【図２９】第１の実施の形態におけるコネクタのオン状態の機構を示す斜視図
【図３０】第１の実施の形態におけるコネクタのオン状態の要部側面図
【図３１】第２の実施の形態におけるスイッチの構造図（オフ状態）
【図３２】第２の実施の形態におけるスイッチの構造図（オン状態）
【図３３】第２の実施の形態におけるスイッチの説明図（１）
【図３４】第２の実施の形態におけるスイッチの説明図（２）
【図３５】第２の実施の形態におけるスイッチの説明図（３）
【図３６】第２の実施の形態における他のスイッチの説明図
【図３７】第２の実施の形態におけるスイッチの要部拡大図（１）
【図３８】第２の実施の形態におけるスイッチの要部拡大図（２）
【図３９】第２の実施の形態における他のスイッチの構造図
【図４０】第３の実施の形態におけるスイッチの構造図（オフ状態）
【図４１】第３の実施の形態におけるスイッチの構造図（オン状態）
【図４２】第４の実施の形態におけるスイッチの構造図（オフ状態）
【図４３】第４の実施の形態におけるスイッチの構造図（オン状態）
【図４４】第４の実施の形態におけるスイッチの説明図
【発明を実施するための形態】
【００３５】
本発明を実施するための形態について、以下に説明する。尚、同じ部材等については、同一の符号を付して説明を省略する。
【００３６】
〔第１の実施の形態〕
（コネクタの構造）
第１の実施の形態におけるコネクタの構造について説明する。本実施の形態におけるコネクタは、図１から図５に示される他のコネクタであるプラグコネクタと接続されるものであって、図６から図８に示される構造のジャックコネクタに相当するコネクタである。尚、図１から図５に示されるプラグコネクタと、図６から図８に示されるジャックコネクタに相当するコネクタとをあわせてコネクタと称する場合もある。
【００３７】
最初に、図１から図５に基づきプラグコネクタ２００について説明する。尚、図１は、プラグコネクタ２００の斜視図であり、図２は上面図であり、図３は側面図であり、図４は底面図であり、図５は正面図である。このプラグコネクタ２００は、絶縁体等により形成されたカバー２１０と、他の接続端子である３本のプラグ端子２２１、２２２、２２３を有しており、３本のプラグ端子２２１、２２２、２２３が設けられている側と反対側には、電源ケーブル２３０が接続されている。プラグ端子２２１はＧＮＤ端子であり、プラグ端子２２２、２２３よりも長く形成されている。プラグ端子２２２、２２３は、電気的に接続されることにより電力が供給される端子である。尚、このプラグコネクタ２００には、プラグ端子２２１、２２２、２２３の設けられている側のカバー２１０部分において、プラグ端子２２１、２２２、２２３の一部を覆うような形状で形成された保護部２１１が設けられており、更には、本実施の形態におけるコネクタと接続された後に、コネクタ接続がはずれることのないようにコネクタ接続開口部２１２が設けられている。
【００３８】
次に、図６から図８に基づき本実施の形態におけるコネクタについて説明する。尚、図６は、本実施の形態におけるコネクタの斜視図であり、図７は正面図であり、図８は側面図である。本実施の形態におけるコネクタは、全体が筐体５０に覆われており、プラグコネクタ２００におけるプラグ端子２２１、２２２、２２３が挿入されるジャック開口部２１、２２、２３と、プラグコネクタ２００における保護部２１１が挿入される溝部３１と、プラグコネクタ２００と本実施の形態におけるコネクタとが接続されている状態で、電力を供給するか否かの制御を行なうためのスライド操作部４０が設けられている。スライド操作部４０は、「ＯＮ」の位置または「ＯＦＦ」の位置となるように、スライドさせることが可能であり、スライド操作部４０をスライドさせることにより、コネクタを介し、電力を供給するか否かの制御を行なうことができる。
【００３９】
より詳細に図９に基づき本実施の形態におけるコネクタの内部構造について説明する。図９は、本実施の形態におけるコネクタの内部構造を示す断面図である。本実施の形態におけるコネクタは、スライド操作部４０におけるスライド操作上部４０ａが筐体５０に設けられた開口より外側に飛び出た形状となっており、筐体５０の外側よりスライド操作上部４０ａを矢印Ａで示されるスライド方向に移動させることにより、筐体５０の内部におけるスイッチ部１００において、電気的な接続を行なうか否かの操作を行なうことができる。
【００４０】
スライド操作部４０は筐体５０にスライド操作本体部４０ｂを有しており、スライド操作本体部４０ｂは、スライドリンク部４１と接続されている。スライドリンク部４１は、矢印Ａで示されるスライド方向と略平行に動作するものであって、Ｌ字状の形成されており、Ｌ字状の一方の端は、コンタクトスライド部４２のコンタクトスライド開口部４２ａ内に入り込んだ構造となっている。このコンタクトスライド開口部４２ａは、スライドリンク部４１の移動方向、即ち、矢印Ａで示されるスライド方向に沿った細長い形状で形成されている。また、後述するように、コンタクトスライド部４２には、矢印Ａで示されるスライド方向に対し略垂直方向に伸びるコンタクトスライド接触部が設けられており、コンタクトスライド接触部の先端は、スイッチ部１００におけるボタン１６０の上面に接触している。
【００４１】
（スイッチ部）
次に、スイッチ部１００について説明する。本実施の形態におけるコネクタのスイッチ部１００は、電力の供給の制御を行なうためのスイッチであって、電源スイッチとも称される。図１０にスイッチ部１００の斜視図を示し、図１１にスイッチ部１００の内部構造図を示す。図１１に示されるように、スイッチ部１００は、固定部１１０における固定接点１１１と可動部１２０における可動接点１２１とが接触するか否かにより、電源の供給のオン、オフの制御を行なうことができるものである。
【００４２】
固定部１１０は、全体が金属等の導電性材料により形成されており、可動部１２０における可動接点１２１と接触する固定接点１１１が、固定バネ１１２の一方の端部に設けられている構造のものである。尚、固定バネ１１２は、銅又は銅を含む合金等からなる金属板等を折曲げることにより形成されており、固定接点１１１は銀と銅の合金により形成されている。固定バネ１１２の他方の端部はベースブロック１３０におけるベースブロック本体部１３１において固定されるとともに、固定バネ１１２の中程において固定部支持部１３２において支持され固定されている。
【００４３】
可動部１２０は、全体が金属等の導電性材料により形成されており、固定部１１０における固定接点１１１と接触する可動接点１２１が、可動板部１２２の一方の端部に設けられ、可動板部１２２の他方の端部と可動バネ１２３の一方の端部とが接続された構造のものである。尚、可動板部１２２及び可動バネ１２３は、銅又は銅を含む合金等からなる金属板等を折曲げることにより形成されており、可動接点１２１は銀と銅の合金により形成されている。可動バネ１２３の他方の端部はベースブロック１３０におけるベースブロック本体部１３１において固定されているが、可動バネ１２３は金属板等を折曲げることにより形成されているものであるため柔軟性を有しており、可動板部１２２の一方の端部に設けられた可動接点１２１を上下方向に動かすことが可能である。また、ベースブロック１３０には、固定バネ１１２の他方が接続されている部分と、可動バネ１２３の他方が接続されている部分との間には、難燃性の樹脂材料等からなる絶縁壁１３３が設けられており、可動バネ１２３は、他方の端部より絶縁壁１３３の周囲の一部を回り込むような形状で曲げられている。
【００４４】
可動部１２０における可動板部１２２の一方の面となる上面は、カード１４０における第１の接触部となる上部接触部１４１と接触しており、可動板部１２２の他方の面となる下面は、カード１４０における第２の接触部となる下部接触部１４２と接触している。この状態において、カード１４０を、回転軸１４３を中心に回転させることにより、可動板部１２２が上部接触部１４１または下部接触部１４２と接触し力が加わり、可動接点１２１を上下方向に移動させることができる。尚、上部接触部１４１及び下部接触部１４２は、可動板部１２２において摺動するものであるため、摩擦抵抗を低減させるために上部接触部１４１及び下部接触部１４２の表面には、フッ素樹脂等により形成された表面層を設けてもよい。
【００４５】
尚、固定部１１０及び可動部１２０は、ベースブロック１３０とスイッチ部ケース１５０に囲まれた領域の内部に設置されており、カード１４０は、スイッチ部ケース１５０に設けられたスイッチ部開口部１５１より外部に飛び出した形状の突起部１４４と、ベースブロック１３０とスイッチ部ケース１５０に囲まれた領域の内部に位置するカード本体部１４５とを有している。従って、スイッチ部１００においては、上部接触部１４１または下部接触部１４２は、ベースブロック１３０とスイッチ部ケース１５０に囲まれた領域の内部に設けられている。また、カード１４０、ベースブロック１３０及びスイッチ部ケース１５０は樹脂材料等からなる絶縁体材料により形成されている。
【００４６】
スイッチ部ケース１５０の外部には、回転軸１４３を中心にカード１４０を回転させるために、押下されるボタン１６０が設けられており、カード１４０は、カード１４０における突起部１４４の上部に設けられた接触部１４４ａにおいて、ボタン１６０の内壁部１６１と接触している。尚、接触部１４４ａは、内壁部１６１の表面を摺動するものであるため、摩擦抵抗を低減させるために内壁部１６１の表面には、フッ素樹脂等により形成された表面層を設けてもよい。また、スイッチ部ケース１５０の外部には、一方の端部がスイッチ部ケース１５０に接続され、他方の端部がボタン１６０に接続された開離バネ１７０が設けられている。
【００４７】
（スイッチ部におけるオン、オフ動作）
スイッチ部１００において、スイッチをオンにする場合には、後述するように、コンタクトスライド部４２におけるコンタクトスライド接触部を移動させることにより、ボタン１６０を押下し、ボタン１６０の内壁部１６１において接触部１４１が接触しているカード１４０が回転軸１４３を中心に回転する。これにより、上部接触部１４１を介し可動部１２０における可動板部１２２に下方向に力が加えられ、可動接点１２１と固定接点１１１とが接触する。この状態を図１２に示す。尚、後述するように、スイッチ部１００において、この状態はコンタクトスライド部４２におけるコンタクトスライド接触部により維持されるため、可動接点１２１と固定接点１１１との接触が維持され、電源から電力が供給される。
【００４８】
また、スイッチ部１００において、スイッチをオフにする場合には、後述するように、コンタクトスライド部４２におけるコンタクトスライド接触部を移動させることにより、開離バネ１７０のバネ性による復元力により、ボタン１６０がオフの状態に戻る。即ち、図１１に示されるように、ボタン１６０の内壁部１６１において接触部１４１が接触しているカード１４０が回転軸１４３を中心に回転し、下部接触部１４２を介し可動部１２０における可動板部１２２に上方向に力が加わる。このように可動板部１２２に加えられた上方向の力により可動接点１２１と固定接点１１１との接触を離すことができ、電源からの電力の供給を停止することができる。この際、可動接点１２１と固定接点１１１との間でアークが発生する場合があるため、磁界の力によりアークを飛ばすことができるように、可動接点１２１と固定接点１１１との接触位置の近傍には、アークの発生する方向に対して略垂直方向の磁界を発生させる永久磁石１８０が設けられている。
【００４９】
スイッチ部１００では、電源からの電力の供給を遮断する際には、可動部１２０における可動バネ１２３等のバネの復元力を用いるのではなく、スイッチ部ケース１５０の外部に設けられた開離バネ１７０のバネの復元力によりオフ状態にするものである。このため、可動部１２０における可動バネ１２３等において復元力を有していない場合においても、電源をオフにすることができる。また、熱により可動バネ１２３等の一部が溶けてしまい、バネとしての機能が失われている場合においても、可動バネ１２３等の復元力を用いることなく、開離バネ１７０のバネ性により電源をオフ状態にすることができ、電源からの電力の供給を確実に遮断することができる。また、開離バネ１７０は、スイッチ部ケース１５０の外部に設置されているため、スイッチ部ケース１５０内部において固定部１１０及び可動部１２０が受ける可能性のある熱等の影響を受けることはない。
【００５０】
また、スイッチ部１００では、ベースブロック１３０において、固定バネ１１２の他方が接続されている部分と、可動バネ１２３の他方が接続されている部分との間には、絶縁壁１３３が設けられている。これにより、固定部１１０と可動部１２０との熱による溶解等が進行した場合においても、固定部１１０の溶解された部分と、可動部１２０の溶解された部分とが絶縁壁１３３により分離される。よって、固定部１１０と可動部１２０とが溶解し、くっついた状態のまま電流が流れ続けてしまうことを防ぐことができる。
【００５１】
尚、スイッチ部１００では、ゴミ等がベースブロック１３０とケース１５０に囲まれた領域に侵入した場合には、固定接点１１１と可動接点１２１との間でショートまたは接触不良となる場合等がある。従って、スイッチ部１００がオフの状態においては、ベースブロック１３０とケース１５０に囲まれた領域へのゴミ等の侵入を防ぐため、ケース１５０における開口部１５１を塞ぐようにカード１４０のカード本体部１４５の上面が接触して押し当てられるように形成されている。これにより、スイッチ部１００がオフ状態において、開口部１５１からケース１５０の内部にゴミ等が侵入することを防ぐことができる。
【００５２】
また、スイッチ部１００がオンの状態においては、ベースブロック１３０とケース１５０に囲まれた領域へのゴミ等の侵入を防ぐため、ケース１５０における開口部１５１近傍に設けられた壁部１５２と、ボタン１６０に設けられたコの字状の端部１６２が設けられている。スイッチ部１００がオン状態においては、ケース１５０における壁部１５２をボタン１６０に設けられたコの字状の端部１６２が覆うように形成されており、壁部１５２と端部１６２により塞ぐことができる。これにより、スイッチ部１００がオン状態において、開口部１５１からケース１５０の内部にゴミ等が侵入することを防ぐことができる。
【００５３】
（コネクタにおけるオン、オフ動作）
次に、本実施の形態におけるコネクタにおけるオン、オフ動作について説明する。本実施の形態におけるコネクタとプラグコネクタ２００とが接続されている状態において、本実施の形態におけるコネクタにおけるオン、オフの制御を行なうことにより、スイッチ部１００のオン、オフを行なうことができ、電源等からの電力の供給の制御を行なうことができる。
【００５４】
最初に、図１３に示されるように本実施の形態におけるコネクタとプラグコネクタ２００とが接続されていない状態から、図１４に示されるように、本実施の形態におけるコネクタとプラグコネクタ２００とを接続する。この状態では、本実施の形態におけるコネクタのスライド操作部４０のスライド操作上部４０ａが「ＯＦＦ」の位置のままでありオフ状態にあるため、電気的には接続はされておらず、コネクタを介し電力等が供給されることはない。次に、図１５に示されるように、本実施の形態におけるコネクタのスライド操作部４０のスライド操作上部４０ａを「ＯＮ」の位置までスライドさせてＯＮ状態にする。これにより本実施の形態におけるコネクタとプラグコネクタ２００とが電気的に接続されコネクタを介し電力等が供給される。以下、本実施の形態におけるコネクタにおいて、図１４に示すオフ状態から図１５に示すオン状態になるまでの状況をより詳しく説明する。
【００５５】
次に、図１４に示されるオフ状態について、図１６から図２０に基づき説明する。図１６は、オフ状態における本実施の形態におけるコネクタの側面側から見た内部構造図であり、図１７は、正面側から見た内部構造図であり、図１８は、内部構造の要部の斜視図であり、図１９は、機構部分の要部の斜視図であり、図２０は、内部構造の要部の側面図である。オフ状態においては、スライド操作上部４０ａが「ＯＦＦ」の位置にあるため、コンタクトスライド部４２におけるコンタクトスライド開口部４２ａの左側に、Ｌ字状に形成されたスライドリンク部４１の一方が接触している状態となっている。また、トーションバネ４３の一方は筐体５０の一部に接続されており、他方はスライド操作部４０に接続されている。また、図２１に示されるように、コンタクトスライド部４２には、矢印Ａに示されるスライド方向に対し略垂直方向に伸びるコンタクトスライド接触部４２ｂ設けられており、スイッチ部１６０の上面に設けられた溝の下段部１６３において、コンタクトスライド接触部４２ｂの先端が接触している。
【００５６】
尚、本実施の形態におけるコネクタのジャック開口部２１、２２、２３の内部には、プラグ端子２２１、２２２、２２３と電気的に接続されるジャック端子６１、６２、６３が設けられており、前述したスイッチ部１００には、固定部１１０及び可動部１２０はジャック端子６２及び６３に対応して２対設けられている。即ち、ジャック端子６２は、一方の１対の固定部１１０または可動部１２０のいずれか一方に接続されており、他方は不図示の電源供給源に接続されている。また、ジャック端子６３は、他方の１対の固定部１１０または可動部１２０のいずれか一方に接続されており、他方は不図示の電源供給源に接続されている。更に、図２２に示されるフック７０は、スライド操作部４０の側面の幅狭部４０ｃと接しており、この状態においては、フック７０はプラグコネクタ２００におけるコネクタ接続開口部２１２に入ってはいないため、本実施の形態におけるコネクタとプラグコネクタ２００との脱着は可能な状態にある。
【００５７】
次に、スライド操作部４０をオフ状態とオン状態の略中間の位置まで移動させた場合について、図２３から図２５に基づき説明する。図２３は、この状態における本実施の形態におけるコネクタの側面側から見た内部構造図であり、図２４は、機構部分の要部の斜視図であり、図２５は、内部構造の要部の側面図である。この状態においては、スライド操作上部４０ａは、「ＯＮ」の位置と「ＯＦＦ」の位置の略中間の位置にあり、コンタクトスライド部４２におけるコンタクトスライド開口部４２ａの右側において、Ｌ字状に形成されたスライドリンク部４１の一方の端が接触して、コンタクトスライド部４２をスライド方向に若干移動させる。これにより、コンタクトスライド部４２におけるコンタクトスライド接触部４２ｂの先端は、図２１に示されるスイッチ部１６０に設けられた溝の傾斜部１６４において接触している状態となる。尚、この状態においては、固定部１１０における固定接点１１１と可動部１２０における可動接点１２１とは接触していない。
【００５８】
次に、図１５に示されるオン状態について、図２６から図３０に基づき説明する。図２６は、この状態における本実施の形態におけるコネクタの側面側から見た内部構造図であり、図２７は、正面側から見た内部構造図であり、図２８は、内部構造の要部の斜視図であり、図２９は、機構部分の要部の斜視図であり、図３０は、内部構造の要部の側面図である。オン状態においては、スライド操作上部４０ａは、「ＯＮ」の位置にあり、コンタクトスライド部４２におけるコンタクトスライド開口部４２ａの右側をＬ字状に形成されたスライドリンク部４１の一方が更に押されることにより、コンタクトスライド部４２を更に移動させることができる。これによりコンタクトスライド部４２におけるコンタクトスライド接触部４２ｂの先端は、スイッチ部１６０に設けられた上段部１６５において接触する。この状態においては、スイッチ部１００におけるボタン１６０がコンタクトスライド接触部４２ｂにより押されるため、２対の固定部１１０における固定接点１１１と可動部１２０における可動接点１２１とが各々接触する。このオン状態は、スイッチ部１６０に設けられた上段部１６５にコンタクトスライド部４２におけるコンタクトスライド接触部４２ｂの先端が接触していることにより維持される。
【００５９】
また、オフ状態からオン状態に変化する際には、図２２に示されるフック７０におけるスライド操作部４０の側面との接触位置は、スライド操作部４０の側面の幅狭部４０ｃから、傾斜部４０ｄを経て、幅広部４０ｅに移動するため、矢印Ａ１で示されるスライド操作上部４０ａのスライド方向にスライドさせることにより、スライド方向に対し略垂直方向である矢印Ｂ１に示される方向に移動する。移動したフック７０は、プラグコネクタ２００に設けられたコネクタ接続開口部２１２内に入り込み嵌合するため、本実施の形態におけるコネクタとプラグコネクタとの接続が維持される。
【００６０】
尚、オン状態からオフ状態に移行する場合には、本実施の形態におけるコネクタのスライド操作上部４０ａの位置を「ＯＮ」の位置から「ＯＦＦ」の位置にスライドさせることにより行なう。このようにスライド操作上部４０ａの位置をスライドさせることにより、コンタクトスライド部４２におけるコンタクトスライド接触部４２ｂの先端が接触している位置が、スイッチ部１６０に設けられた上段部１６５から傾斜部１６４を経て下段部１６３に移動する。これにより、スイッチ部１６０が開離バネ１７０により持ち上げられ、２対の固定部１１０における固定接点１１１と可動部１２０における可動接点１２１との接触が離れオフ状態となる。この際、図２２に示されるフック７０におけるスライド操作部４０の側面との接触位置は、スライド操作部４０の側面の幅広部４０ｅから、傾斜部４０ｄを経て、幅狭部４０ｃに移動する。これにより、プラグコネクタ２００におけるコネクタ接続開口部２１２内よりフック７０が外に出るため、本実施の形態におけるコネクタよりプラグコネクタ２００をはずすことが可能となる。
【００６１】
〔第２の実施の形態〕
次に、第２の実施の形態におけるスイッチについて説明する。本実施の形態におけるスイッチは、第１の実施の形態におけるコネクタにおいてスイッチ部に相当するものであり、本実施の形態においてより詳細に説明する。
【００６２】
最初に、電源より供給される電圧が１００Ｖ以上の場合における電源スイッチの問題点について説明する。
【００６３】
電源より供給される電圧が１００Ｖ以上、例えば、直流４００Ｖの場合において、現在市販されているスイッチを用いた場合には、電圧が高電圧であること、また、直流であることにより、何らかの原因によって接触している接点同士が熱等により溶けてくっついてしまい、電力の供給を遮断することができなくなってしまう場合がある。このことはスイッチとしての機能を完全に失わせるものであり、影響も大きいため、スイッチとしては、致命的な問題である。本発明は、このような点に鑑みてなされたものである。
【００６４】
（スイッチ）
次に、本実施の形態におけるスイッチについて説明する。本実施の形態におけるスイッチは、電力の供給の制御を行なうためのスイッチであって、電源スイッチとも称される。図３１に示されるように、本実施の形態におけるスイッチは、固定部１１０における固定接点１１１と可動部１２０における可動接点１２１とが接触するか否かにより、電源の供給のオン、オフの制御をすることができるものである。
【００６５】
固定部１１０は、全体が金属等の導電性材料により形成されており、可動部１２０における可動接点１２１と接触する固定接点１１１が、固定バネ１１２の一方の端部に設けられている構造のものである。尚、固定バネ１１２は、銅又は銅を含む合金等からなる金属板等を折曲げることにより形成されており、固定接点１１１は銀と銅の合金により形成されている。固定バネ１１２の他方の端部はベースブロック１３０におけるベースブロック本体部１３１において固定されるとともに、固定バネ１１２の中程において固定部支持部１３２において支持され固定されている。
【００６６】
可動部１２０は、全体が金属等の導電性材料により形成されており、固定部１１０における固定接点１１１と接触する可動接点１２１が、可動板部１２２の一方の端部に設けられており、可動板部１２２の他方の端部と可動バネ１２３の一方の端部とが接続された構造のものである。尚、可動板部１２２及び可動バネ１２３は、銅又は銅を含む合金等からなる金属板等により形成されており、可動接点１２１は銀と銅の合金により形成されている。可動バネ１２３の他方の端部はベースブロック１３０におけるベースブロック本体部１３１において固定されているが、可動バネ１２３は金属板等を折曲げることにより形成されているものであるため柔軟性を有しており、可動板部１２２の一方の端部に設けられた可動接点１２１を上下方向に動かすことが可能である。また、ベースブロック１３０には、固定バネ１１２の他方が接続されている部分と、可動バネ１２３の他方が接続されている部分との間には、難燃性の樹脂材料等からなる絶縁壁１３３が設けられており、可動バネ１２３は、他方の端部より絶縁壁１３３の周囲の一部を回り込むような形状で曲げられている。
【００６７】
可動部１２０における可動板部１２２の一方の面となる上面は、カード１４０における第１の接触部となる上部接触部１４１と接触しており、可動板部１２２の他方の面となる下面は、カード１４０における第２の接触部となる下部接触部１４２と接触している。この状態において、カード１４０が回転軸１４３を中心に回転することにより、可動板部１２２と接触している上部接触部１４１または下部接触部１４２を介して力が加わり、可動接点１２１を上下方向に移動させることができる。尚、上部接触部１４１及び下部接触部１４２は、可動板部１２２において摺動するものであるため、摩擦抵抗を低減させるために上部接触部１４１及び下部接触部１４２の表面には、フッ素樹脂等により形成された表面層を設けてもよい。
【００６８】
尚、固定部１１０及び可動部１２０は、ベースブロック１３０とケース１５０に囲まれた領域の内部に設置されており、カード１４０は、ケース１５０に設けられた開口部１５１より外部に飛び出した形状の突起部１４４と、ベースブロック１３０とケース１５０に囲まれた領域の内部に位置するカード本体部１４５とを有している。従って、本実施の形態におけるスイッチにおいては、上部接触部１４１または下部接触部１４２は、ベースブロック１３０とケース１５０に囲まれた領域の内部に設けられている。また、カード１４０、ベースブロック１３０及びケース１５０は樹脂材料等からなる絶縁体材料により形成されている。
【００６９】
ケース１５０の外部には、回転軸１４３を中心にカード１４０を回転させるために、押下されるボタン１６０が設けられており、カード１４０は、カード１４０における突起部１４４の上部に設けられた接触部１４４ａにおいて、ボタン１６０の内壁部１６１と接触している。尚、接触部１４４ａは、内壁部１６１の表面を摺動するものであるため、摩擦抵抗を低減させるために内壁部１６１の表面には、フッ素樹脂等により形成された表面層を設けてもよい。また、ケース１５０の外部には、一方の端部がケース１５０に接続され、他方の端部がボタン１６０に接続された開離バネ１７０が設けられている。
【００７０】
（オン、オフ動作）
本実施の形態におけるスイッチにおいて、スイッチをオンにする場合には、ボタン１６０を押下することにより、ボタン１６０の内壁部１６１と接触部１４４ａにおいて接触しているカード１４０が回転軸１４３を中心に回転し、上部接触部１４１により可動部１２０における可動板部１２２に下方向に力が加えられ、可動接点１２１が固定接点１１１と接触する。この状態を図３２に示す。尚、本実施の形態におけるスイッチでは、この状態を維持するための係止部等を有する不図示のオン状態維持機構等が設けられており、オン状態維持機構等により、可動接点１２１が固定接点１１１と接触が維持され、電源から電力の供給が維持される。
【００７１】
また、本実施の形態におけるスイッチにおいて、スイッチをオフにする場合には、不図示のオン状態維持機構等における係止部の係止等がはずれ、開離バネ１７０のバネ性による復元力により、スイッチをオフにすることができる。これにより図３１に示されるように、ボタン１６０の内壁部１６１と接触部１４４ａにおいて接触しているカード１４０が回転軸１４３を中心に回転し、下部接触部１４２により可動部１２０における可動板部１２２に上方向に力が加えられる。このように可動板部１２２に加えられた上方向の力により可動接点１２１と固定接点１１１との接触を離すことができ、電源からの電力の供給を停止することができる。この際、可動接点１２１と固定接点１１１との間でアークが発生する場合があるため、磁界の力によりアークを飛ばすことができるように、可動接点１２１と固定接点１１１との接触位置の近傍には、アークの発生する方向に対して略垂直方向の磁界を発生させる永久磁石１８０が設けられている。
【００７２】
本実施の形態におけるスイッチでは、電源をオフする際に、可動部１２０における可動バネ１２３等におけるバネの復元力を用いるのではなく、ケース１５０の外部に設けられた開離バネ１７０のバネの復元力によりオフ状態にするものである。このため、可動部１２０における可動バネ１２３等において復元力を有していない場合においても、電源をオフにすることができる。例えば、熱により可動バネ１２３等の一部が溶けてしまい、バネとしての機能が失われている場合においても、可動バネ１２３等における復元力を用いることなく、開離バネ１７０のバネ性により電源をオフ状態にすることができ、電源からの電力の供給を確実に遮断することができる。また、開離バネ１７０は、ケース１５０の外部に設置されているため、ケース１５０内部において固定部１１０及び可動部１２０が受ける熱等の影響を受けることはない。
【００７３】
また、本実施の形態におけるスイッチでは、ベースブロック１３０において、固定バネ１１２の他方が接続されている部分と、可動バネ１２３の他方が接続されている部分との間には、絶縁壁１３３が設けられている。これにより固定部１１０と可動部１２０との熱による溶解が進行した場合においても、絶縁壁１３３により固定部１１０の溶解された部分と、可動部１２０の溶解された部分とが分離され、固定部１１０と可動部１２０とが溶解しくっついた状態のまま電流が流れ続けるといった状態となることを防ぐことができる。
【００７４】
（スイッチの組立方法の説明）
次に、本実施の形態におけるスイッチの組立方法において要点となる部分について説明する。
【００７５】
最初に、本実施の形態におけるスイッチにおいて、可動部１２０とベースブロック１３０とカード１４０の接続方法について、図３３に基づき説明する。カード１４０には、回転軸１４３を中心とする円形状の回転部１４６が設けられている。また、ベースブロック１３０にはカード１４０を接続するためのカード支持部１３４が設けられており、カード支持部１３４にはカード１４０の回転部１４６が挿入されるように、円形の形状の開口部１３５が設けられている。回転部１４６を開口部１３５内に挿入することにより、カード１４０は、カード支持部１３４と回転軸１４３を中心に回転可能な状態で接続される。また、カード１４０は、可動板部１２２の上側に上部接触部１４１が接し、下側に下部接触部１４２が接触した状態で、可動板部１２２に沿って入れられ、回転部１４６が開口部１３５内に挿入された状態となるまで入れられ組み立てられる。これにより、可動部１２０とベースブロック１３０とカード１４０とを接続することができる。
【００７６】
より詳細に、図３４及び図３５に基づきベースブロック１３０とカード１４０との接続について説明する。カード１４０の回転部１４６は２本の棒状部１４７の端部に各々設けられており、各々の回転部１４６が外側となるように設けられている。ベースブロック１３０とカード１４０とを接続する際には、２つの棒状部１４７を内側方向に曲げることにより、回転部１４６をベースブロック部１３０の開口部１３５に挿入する。尚、開口部１３５と回転部１４６との接触する部分には、摩擦抵抗が少なくなるように鏡面処理等が施されている。
【００７７】
また、カード１４０の回転部１４６をより滑らかにベースブロック部１３０の開口部１３５に挿入するために、カード支持部１３４には、挿入方向に沿ったガイド１３６が設けられており、更に、カード支持部１３４において回転部１４６が入り込む部分の端部には傾斜部１３７が設けられている。
【００７８】
尚、上記説明では、可動板部１２２はカード１４０における上部接触部１４１と下部接触部１４２により挟まれた構造のものについて説明したが、図３６に示されるように、可動板部１２２にＴ字状の開口部１２２ａを設け、カード１４０ａには、上部接触部１４１及び下部接触部１４２に代えて、突起状接続部１４８を設けた構造のものであってもよい。この突起状接続部１４８は、端部に尖った形状の先端部１４８ａと、先端部１４８ａに繋がる幅が狭くなった形状の幅狭部１４８ｂと、幅狭部１４８ｂに繋がる幅が広くなった形状の本体部１４８ｃを有している。可動板部１２２とカード１４０ａとを固定する際には、可動板部１２２に設けられた開口部１２２ａに、突起状接続部１４８の先端部１４８ａ及び幅狭部１４８ｂを挿入することにより固定する。この状態においては、可動板部１２２の下面は、幅狭部１４８ｂと幅が広くなっている先端部１４８ａとの間で固定され、可動板部１２２の上面は、幅狭部１４８ｂと幅が広くなっている本体部１４８ｃとの間で固定される。
【００７９】
また、本実施の形態におけるスイッチでは、ゴミ等がベースブロック１３０とケース１５０に囲まれた領域に侵入した場合には、固定接点１１１と可動接点１２１との間でショートまたは導通不良が発生する場合等がある。従って、本実施の形態におけるスイッチがオフの状態では、図３７に示されるように、ベースブロック１３０とケース１５０に囲まれた領域へのゴミ等の侵入を防ぐため、ケース１５０において開口部１５１が形成されている内側の面に、カード１４０のカード本体部１４５の上面が接触し押し当てられるように形成されている。これによりスイッチがオフ状態の場合において、開口部１５１からケース１５０の内部にゴミ等が侵入することを防ぐことができる。
【００８０】
また、本実施の形態におけるスイッチがオンの状態では、図３８に示されるように、ベースブロック１３０とケース１５０に囲まれた領域へのゴミ等の侵入を防ぐため、ケース１５０における開口部１５１近傍に設けられた壁部１５２と、ボタン１６０に設けられたコの字状の端部１６２が設けられている。スイッチがオン状態においては、ケース１５０における壁部１５２をボタン１６０に設けられたコの字状の端部１６２が覆うように形成されており、壁部１５２と端部１６２により塞ぐことができる。これにより、スイッチがオン状態の場合において、開口部１５１からケース１５０の内部にゴミ等が侵入することを防ぐことができる。
【００８１】
また、図３９に示すように、本実施の形態は、固定接点１１１及び可動接点１２１が複数設けられた構造のものであって、１つのボタン１６８を操作することにより、複数の電子機器または電気回路への電力供給を同時にオン状態にしたり、オフ状態にしたりするものであってもよい。これにより複数の固定接点１１１と可動接点１２１とを同時にオン状態にしたり、オフ状態にしたりすることができる。
【００８２】
〔第３の実施の形態〕
次に、第３の実施の形態におけるスイッチについて説明する。本実施の形態におけるスイッチにおいて、オフ状態を図４０に示し、オン状態を図４１に示す。
【００８３】
本実施の形態におけるスイッチは、図４０及び図４１に示されるように、回転軸を有しない構造のカード３４０を有するものであって、ボタン１６０を押下することにより、カード３４０が上下方向に移動し、固定部１１０における固定接点１１１と可動部１２０における可動接点１２１とが接触する構造のものである。
【００８４】
具体的には、ボタン１６０を押下することにより、ボタン１６０の内壁部１６１と接している接触部３４４ａが押されカード３４０が下がり、カード３４０における上部接触部３４１より可動板部１２２が下方向に押され、固定接点１１１と可動接点１２１とが接触する。これにより、図４１に示されるようにオン状態となる。尚、この状態においては、第２の実施の形態と同様に、不図示のオン状態維持機構等により、可動接点１２１が固定接点１１１と接触が維持される。
【００８５】
また、不図示のオン状態維持機構等における係止等がはずれ、開離バネ１７０による復元力により図４０に示されるようにオフ状態に戻る。即ち、カード３４０における下部接触部３４２より可動板部１２２が上方向に押され、固定接点１１１と可動接点１２１との接触が離れる。尚、上部接触部３４１及び下部接触部３４２は、可動板部１２２において摺動するものであるため、摩擦抵抗を低減させるために上部接触部３４１及び下部接触部３４２の表面には、フッ素樹脂等により形成された表面層を設けてもよい。
【００８６】
本実施の形態におけるスイッチでは、カード３４０に回転軸等を有していない構造のものであるため、スイッチを小型にすることができる。
【００８７】
尚、上記以外の内容については、第２の実施の形態と同様である。本実施の形態におけるスイッチは、第１の実施の形態におけるコネクタにおけるスイッチ部として用いることが可能である。
【００８８】
〔第４の実施の形態〕
次に、第４の実施の形態におけるスイッチについて説明する。本実施の形態におけるスイッチにおいて、オフ状態を図４２に示し、オン状態を図４３に示し、図４４には、固定部１１０と可動部４２０の斜視図を示す。
【００８９】
本実施の形態におけるスイッチは、第２の実施の形態及び第３の実施の形態において、可動バネ１２３の部分が電線であるケーブル４２３により形成されているものである。本実施の形態におけるスイッチでは、開離バネ１７０の復元力により、固定接点１１１と可動接点１２１との接触を離すことができるため、可動バネ１２３等においてバネ性は必要とされないため、可動バネ１２３に相当する部分をケーブル４２３により形成したものであってもよい。このようなケーブル４２３は導電性を有するものであれば、どのようなものでもよいが、柔軟な動きが得られる編み線等のケーブルが好ましい。また、ケーブル４２３の表面には被覆がされているものであってもよい。尚、ケーブル４２３は、導電性を有する部分が、可動部４２０に設けられた端子接続部４２４において接続されている。
【００９０】
尚、上記以外の内容については、第２または第３の実施の形態と同様である。本実施の形態におけるスイッチは、第１の実施の形態におけるコネクタにおけるスイッチ部として用いることが可能である。
【００９１】
以上、本発明の実施に係る形態について説明したが、上記内容は、発明の内容を限定するものではない。
【符号の説明】
【００９２】
２１        ジャック開口部
２２        ジャック開口部
２３        ジャック開口部
３１        溝部
４０        スライド操作部
４０ａ      スライド操作上部
４０ｂ      スライド操作本体部
４１        スライドリンク部
４２        コンタクトスライド部
４２ａ      コンタクトスライド開口部
４２ｂ      コンタクトスライド接触部
５０        筐体
６１        ジャック端子
６２        ジャック端子
６３        ジャック端子
７０        フック
１１０      固定部
１１１      固定接点
１１２      固定バネ
１２０      可動部
１２１      可動接点
１２２      可動板部
１２３      可動バネ
１３０      ベースブロック
１３１      ベースブロック本体部
１３２      固定部支持部
１３３      絶縁壁
１４０      カード
１４１      上部接触部（第１の接触部）
１４２      下部接触部（第２の接触部）
１４３      回転軸
１４４      突起部
１４４ａ    接触部
１４５      カード本体部
１５０      スイッチ部ケース
１５１      スイッチ部開口部
１５２      壁部
１６０      ボタン
１６１      内壁部
１６２      端部
１６３      底面部
１６４      傾斜部
１６５      上段部
１７０      開離バネ
１８０      永久磁石
２００      プラグコネクタ
２１０      カバー
２１１      保護部
２１２      コネクタ接続開口部
２２１      プラグ端子
２２２      プラグ端子
２２３      プラグ端子
２３０      電源ケーブル
【図１】
0005619576.tif 000002
【図２】
0005619576.tif 000003
【図３】
0005619576.tif 000004
【図４】
0005619576.tif 000005
【図５】
0005619576.tif 000006
【図６】
0005619576.tif 000007
【図７】
0005619576.tif 000008
【図８】
0005619576.tif 000009
【図９】
0005619576.tif 000010
【図１０】
0005619576.tif 000011
【図１１】
0005619576.tif 000012
【図１２】
0005619576.tif 000013
【図１３】
0005619576.tif 000014
【図１４】
0005619576.tif 000015
【図１５】
0005619576.tif 000016
【図１６】
0005619576.tif 000017
【図１７】
0005619576.tif 000018
【図１８】
0005619576.tif 000019
【図１９】
0005619576.tif 000020
【図２０】
0005619576.tif 000021
【図２１】
0005619576.tif 000022
【図２２】
0005619576.tif 000023
【図２３】
0005619576.tif 000024
【図２４】
0005619576.tif 000025
【図２５】
0005619576.tif 000026
【図２６】
0005619576.tif 000027
【図２７】
0005619576.tif 000028
【図２８】
0005619576.tif 000029
【図２９】
0005619576.tif 000030
【図３０】
0005619576.tif 000031
【図３１】
0005619576.tif 000032
【図３２】
0005619576.tif 000033
【図３３】
0005619576.tif 000034
【図３４】
0005619576.tif 000035
【図３５】
0005619576.tif 000036
【図３６】
0005619576.tif 000037
【図３７】
0005619576.tif 000038
【図３８】
0005619576.tif 000039
【図３９】
0005619576.tif 000040
【図４０】
0005619576.tif 000041
【図４１】
0005619576.tif 000042
【図４２】
0005619576.tif 000043
【図４３】
0005619576.tif 000044
【図４４】
0005619576.tif 000045